(57)【要約】【課題】水素除去処理後のガス温度が最大温度となる状態で一定時間継続する場合においても大流量の冷却水が不要で装置から排出されるガス温度をより低く抑えることが可能な水素除去装置を提供する。【解決手段】水素除去装置３０は、被処理ガス６に含まれる水素を酸化させて除去し、除去後のガスを排気する装置であり、被処理ガスに含まれる水素と反応する反応材４１を収容する反応部３１に、被処理ガスを通気させて、被処理ガスに含有される水素を酸化させて除去し、除去後のガスを排気部３３から外部へ排気する水素除去手段３４と、温熱１７を蓄熱する蓄熱体３５と、排気部に蓄熱体と接する状態で設置され、除去後のガスと蓄熱体との間で熱交換する熱交換器３６と、冷却液（冷媒）１５が流通し、この冷媒により蓄熱体を冷却する冷却液（冷媒）流路３７とを備える水素除去モジュール６０を具備する。【選択図】  図２
2015230267.tif 000002
【特許請求の範囲】
【請求項１】
ガス導入流路から処理するガスを導入して前記ガスに含まれる水素を酸化させて除去し、ガス排気流路から除去後のガスを外部へ排気する水素除去装置であり、
導入部から導入する前記ガスに含まれる水素と反応する反応材を収容する反応部に、前記ガスを通気させて反応させることで、前記ガスに含まれる水素を酸化させて除去し、排気部から前記除去後のガスを外部へ排気する水素除去手段と、
熱を蓄熱する蓄熱手段と、
前記ガス排気流路に前記蓄熱手段と接する状態で設置され、前記反応部で反応した後のガスと前記蓄熱手段との間で熱交換する熱交換手段と、
冷媒が流通し、この冷媒により前記蓄熱手段を冷却する冷媒流路と、を備える水素除去モジュールを、具備することを特徴とする水素除去装置。
【請求項２】
前記水素除去モジュールは、前記反応部および前記蓄熱手段と接する状態で設置され、前記反応部および前記蓄熱手段の間の熱伝達を減少させる断熱手段をさらに備えることを特徴とする請求項１記載の水素除去装置。
【請求項３】
前記水素除去モジュールを複数個と、
導入路から導入されるガスを開閉自在な複数本の分配路へ均一な流量で分配して排気するガス流量配分均一化手段とをさらに具備し、
前記ガス流量配分均一化手段の分配路のうち少なくとも２本と第１の水素除去モジュールの前記ガス導入流路および第２の水素除去モジュールの前記ガス導入流路とを接続して構成される複合モジュールを少なくとも一部に具備することを特徴とする請求項１または２記載の水素除去装置。
【発明の詳細な説明】
【技術分野】
【０００１】
本発明の実施形態は、ガス中に含まれる水素を除去する水素除去装置に関する。
【背景技術】
【０００２】
原子力プラントでは、原子炉炉心を収容する原子炉圧力容器を原子炉格納容器に格納している。原子炉格納容器には、原子炉圧力容器を包囲する上部ドライウェルと下部ドライウェル、および、上部ドライウェルとベント管を介して接続され内部に水を貯蔵したサプレッションプールを備えたウェットウェルが形成されている。また、原子炉圧力容器を包囲して生体遮蔽壁が設置されている。
【０００３】
上記のような構成の原子炉格納容器において、原子炉事故が発生すると、原子炉格納容器内に水素が発生する。例えば、原子炉圧力容器に接続された主蒸気管等が万一破断した場合、原子炉格納要容器内の上部ドライウェルに高温・高圧の原子炉一次冷却材（水）が放出され、上部ドライウェル内の圧力・温度が急激に上昇する。
【０００４】
上部ドライウェルに放出された高温・高圧の冷却材は、上部ドライウェル内の気体と混合して、ベント管を通してサプレッションプールにおいて吸収される。原子炉圧力容器には内には非常用炉心冷却系によりサプレッションプールの水が注入されて炉心が冷却されるが、この冷却水は長期的には炉心から崩壊熱を吸収し、破断した配管の破断口からドライウェルへ流出される。このため、上部ドライウェル内の圧力・温度は常にウェットウェルよりも高い状態となる。
【０００５】
このような長期的な事象下で、軽水炉型原子力発電所の原子炉内では冷却材である水が放射分解され、水素ガスと酸素ガスが発生する。さらに、燃料被覆管の温度が上昇する場合には水蒸気と燃料被覆管材料のジルコニウムとの間で反応（Ｍｅｔａｌ−Ｗａｔｅｒ反応）が生じ、短時間で水素ガスが発生する。
【０００６】
こうして発生する水素ガスが破断した配管の破断口から原子炉格納容器内に放出され、原子炉格納容器内の水素ガス濃度は次第に上昇する。また、水素ガスは非凝縮性であるから、原子炉格納容器内の圧力も上昇する。
【０００７】
このような水素ガスが発生し、原子炉格納容器内の水素濃度が上昇する事態に対して、何等有効な対策を採ることができずに水素ガス濃度が４ｖｏｌ％かつ酸素濃度が５ｖｏｌ％以上に上昇した場合、すなわち可燃性ガスとしての水素ガスの濃度が可燃限界を超えた場合、気体は可燃状態となる。さらに、水素ガス濃度が上昇すると過剰な反応が発生する可能性が生じる。
【０００８】
可燃性ガスである水素ガスが可燃状態となる等の事態を防止する有効な対策としては、例えば、従来の沸騰水型原子力発電設備の場合には、圧力抑制式の原子炉格納容器内を窒素ガスで置換し酸素濃度を低く維持することがある。このような対策を実践可能な装置等を導入することにより、Ｍｅｔａｌ−Ｗａｔｅｒ反応により短時間で大量に発生する水素ガスに対しても原子炉格納容器内が可燃性雰囲気となることを防止し、固有の安全性が達成される。
【０００９】
また、他の対策例としては、再結合器およびブロアを有する可燃性ガス濃度抑制装置を原子炉格納容器外に設置することである。可燃性ガス濃度抑制装置は、原子炉格納容器内の気体を原子炉格納容器外に吸引し、昇温させて水素ガスと酸素ガスを再結合させて水に戻し、残りの気体を冷却してから原子炉格納容器内へ戻すように動作する装置である。このように動作する可燃性ガス濃度抑制装置を設置することで、原子炉格納容器内の可燃性ガス濃度上昇が抑制される。
【００１０】
このような水素を除去する技術として、例えば、水素と酸素を再結合させて処理するものが知られている。
【先行技術文献】
【特許文献】
【００１１】
【特許文献１】特開２００５−３３７１号公報
【発明の概要】
【発明が解決しようとする課題】
【００１２】
上述の水素と酸素の再結合による従来の水素除去処理技術では、水素の反応熱によって、可燃性ガス濃度抑制装置からの排出ガス温度が最大６００℃に達する。従来の水素除去処理技術を原子炉格納容器内の雰囲気から水素を除去するために用いる場合、Ｍｅｔａｌ−Ｗａｔｅｒ反応によって大量の水素が発生する事象を想定する必要がある。
【００１３】
Ｍｅｔａｌ−Ｗａｔｅｒ反応による大量の水素が発生する事象が生じた場合には、最大で６００℃にも達する排出ガスが最長で１時間程度継続して排出されることが想定されるため、このような大量の水素が発生する事象に対応可能とするためには、最大で６００℃にも達する排出ガスの温度を安全に（熱損傷等を発生させずに）原子炉格納容器内へ戻すことのできる約２００℃までに冷却する技術が必要となる。
【００１４】
このように、大量の水素を継続的に除去処理することが必要となる環境下で従来の水素除去処理技術を用いる場合、排出されるガスは最大で６００℃というかなりの高温の状態が最大で１時間程度継続するため、水素除去処理技術を適用する環境によっては構造物の熱損傷等が発生し得る。従って、水素除去処理後のガスの温度を従来よりも低く抑えることが望まれる。
【００１５】
排出ガスの温度を約６００℃から約２００℃まで冷却する技術としては、例えば、可燃性ガス濃度抑制装置から排出されるガス温度を約６００℃から約２００℃までに常時冷却可能な冷却装置を適用することが考えられる。
【００１６】
しかしながら、約６００℃のガスを約２００℃までに常時冷却可能な冷却装置を適用する場合、装置が大型化するだけでなく、その運用には大流量の冷却水が必要となるため、現実的には適用は困難である。
【００１７】
本発明は、上述した事情に鑑みてなされたものであり、水素除去処理後のガスの温度が最大温度となる状態で一定時間継続する場合においても、大流量の冷却水を必要とすることなく装置から排出されるガスの温度をより低く抑えることが可能な水素除去装置を提供することを目的とする。
【課題を解決するための手段】
【００１８】
本発明の実施形態に係る水素除去装置は、上述した課題を解決するため、ガス導入流路から処理するガスを導入して前記ガスに含まれる水素を酸化させて除去し、ガス排気流路から除去後のガスを外部へ排気する水素除去装置であり、導入部から導入する前記ガスに含まれる水素と反応する反応材を収容する反応部に、前記ガスを通気させて反応させることで、前記ガスに含まれる水素を酸化させて除去し、排気部から前記除去後のガスを外部へ排気する水素除去手段と、熱を蓄熱する蓄熱手段と、前記ガス排気流路に前記蓄熱手段と接する状態で設置され、前記反応部で反応した後のガスと前記蓄熱手段との間で熱交換する熱交換手段と、冷媒が流通し、この冷媒により前記蓄熱手段を冷却する冷媒流路と、を備える水素除去モジュールを、具備することを特徴とする。
【発明の効果】
【００１９】
本発明の実施形態によれば、水素除去処理後のガスの温度が最大温度となる状態で一定時間継続する場合においても、大流量の冷却水を必要とすることなく装置から排出されるガスの温度をより低く抑えることができる。
【図面の簡単な説明】
【００２０】
【図１】本発明の実施形態に係る水素除去装置の適用例を示す概略図。
【図２】本発明の実施形態に係る水素除去装置の構成例を示す概略図。
【図３】本発明の実施形態に係る水素除去装置における温度の時間変化を説明する説明図であり、（Ａ）は反応容器出口ガス温度Ｔgrc2の時間変化を説明する説明図（グラフ）、（Ｂ）は蓄熱体平均温度Ｔhsmの時間変化を説明する説明図（グラフ）、（Ｃ）は水素除去装置出口温度Ｔ2の時間変化を説明する説明図（グラフ）。
【図４】本発明の実施形態に係る水素除去装置の変形例（水素除去モジュールを複数用いて構成する例）を示す概略図であり、（Ａ）は２個の水素除去モジュールを直列に連結した例を示す概略図、（Ｂ）は複数の水素除去モジュールを並列に連結した例を示す概略図。
【発明を実施するための形態】
【００２１】
以下、本発明の実施形態に係る水素除去装置について、図面を参照して説明する。なお、以下の説明においては、上、下、左、右等の方向を示す言葉は、図示した状態または通常の使用状態を基準とする。
【００２２】
本発明の実施形態に係る水素除去装置は、水素と反応する反応材を用いてガス中の水素を除去する技術を採用している。本発明の実施形態に係る水素除去装置では、水素と反応する反応材として、例えば、金属酸化物または過酸化物イオン（Ｏ２２−）と金属とで構成される塩である金属過酸化物等の複数の酸化数を取り得る金属酸化物中の高次の酸化数を持つ材料を適用し、反応材がガス中の水素を酸化させることによって水素を消費して水素を除去する。
【００２３】
反応材として金属過酸化物を用いて被処理ガスに含有する水素を除去する技術は、金属過酸化物自体に含まれる酸素を利用するため、外部の酸素を必要とすることなく被処理ガスから水素を除去することができるという利点がある。なお、反応材として金属酸化物を用いる場合においても、金属酸化物に含まれるＯと水素ガスとが結合して水（Ｈ２Ｏ）を生成することできる。
【００２４】
続いて、本発明の実施形態に係る水素除去装置について、本発明の実施形態に係る水素除去装置を原子炉格納容器１（図１）の雰囲気から水素を除去する際に適用する場合を一例として示して説明する。なお、図１に示される水素除去装置３０は、適用例の一つであり、本発明の実施形態に係る水素除去装置は、図示されるものに限定されない。
【００２５】
図１は、本発明の実施形態に係る水素除去装置の一例である水素除去装置３０の適用例（原子炉格納容器１の雰囲気から水素を除去するために水素除去装置３０を適用する場合の一例）を示す概略図である。
【００２６】
なお、図１は、原子炉格納容器１の雰囲気から水素を除去する水素除去処理に関連する系統を中心に簡略化して示している。また、図１中に示される矢印の方向は、ガス（被処理ガス６および処理済ガス１１）の流れる方向を示している。
【００２７】
水素除去装置３０は、例えば、従来の原子炉格納容器１の雰囲気から水素を除去する水素除去装置と同様に設置される。すなわち、従来の原子炉に適用される水素除去装置の代わりに水素除去装置３０を適用することができ、水素除去装置３０は、原子炉格納容器１と供給配管２および戻り配管３を介して連結される。
【００２８】
水素除去装置３０の作用について概説すると、原子炉格納容器１内でなんらかの原因により、燃料被覆管の温度が上昇し、水蒸気と燃料被覆管材料であるジルコニウムとの間で反応（Ｍｅｔａｌ−Ｗａｔｅｒ反応）が生じて水素が発生し、大量の蒸気とともに原子炉圧力容器５から漏洩する。
【００２９】
発生した多量の蒸気と水素が原子炉圧力容器５内から原子炉格納容器１に漏れ出た場合、原子炉格納容器１に漏れ出た蒸気および水素と元来原子炉格納容器１に存在している窒素との混合気体（被処理ガス）６は、まず、静的格納容器冷却系（Passive Containment Cooling System：ＰＣＣＳ）７へ導かれる。静的格納容器冷却系７では被処理ガス６中の蒸気の大部分が凝縮し、被処理ガス６から蒸気の大部分が取り除かれる。静的格納容器冷却系７で発生した凝縮水は、例えば、排水管８を通ってドライウェル９へ戻される。
【００３０】
また、蒸気の大部分が取り除かれた被処理ガス６は、静的格納容器冷却系７から供給配管２を通して水素除去装置３０内に導入される。水素除去装置３０内では、水素除去装置３０内に設けられる水素除去手段（図１において省略）に被処理ガス６を通気させて被処理ガス６に含まれる水素と反応させることで、被処理ガス６に含まれる水素を酸化させて除去する。
【００３１】
被処理ガス６に含まれる水素を除去した後のガス（以下、「処理済ガス」と称する）１１は、水素除去手段から水素除去装置３０の外部へ排気される。処理済ガス１１は、水素除去装置３０から戻り配管３を介して、例えば、圧力抑制室（サプレッションチェンバ）１３等の原子炉格納容器１内へ戻される。
【００３２】
図２は、水素除去装置３０（水素除去モジュール６０）の構成例を示す概略図である。なお、図２中の矢印は、被処理ガス６、処理済ガス１１、冷却液１５、および熱１７の移動方向を示している。
【００３３】
水素除去装置３０は、例えば、水素と反応する反応部３１と導入部３２から導入する被処理ガス６に含まれる水素とを反応させて、被処理ガス６から水素を除去し、排気部３３から処理済ガス１１を外部へ排気する水素除去手段３４と、蓄熱手段としての蓄熱体３５と、熱交換手段としての熱交換器３６と、冷却液１５を導入し通液させる冷却液流路３７と、反応部３１および蓄熱体３５の間の熱伝達を減少する断熱手段としての断熱体３８と、を備える水素除去モジュール６０（基本モジュール）を１個または複数個具備して構成される。
【００３４】
水素除去手段３４は、導入部３２から導入する被処理ガス６に含まれる水素と反応する反応材４１を反応材容器４３に収容して構成される反応部３１に、被処理ガス６を通気させて水素と反応させることで、被処理ガス６から水素を酸化させて除去する。被処理ガス６から水素を除去した後の処理済ガス１１は、排気部３３から外部へ排気される。
【００３５】
蓄熱体３５は、例えば、物質に熱を蓄える（蓄熱する）性質を有する蓄熱材を用いて構成される。なお、蓄熱体３５は、後述するように、反応部３１の出口における温度が最大温度Ｔmax（図３（Ａ））で最大温度持続時間ｈ1（図３（Ａ））持続したとしても、その平均温度Ｔhsm（図３（Ｂ））は最大温度Ｔmaxよりも低い温度範囲で適用可能な各種の蓄熱材を適用して構成することができる。
【００３６】
熱交換器３６は、排気部３３に蓄熱体３５と接する状態で設置され、反応部３１で反応した後の処理済ガス１１と蓄熱体３５との間で熱交換する。すなわち、処理済ガス１１の温熱１７は、熱交換器３６を介して蓄熱体３５へ放熱され、蓄熱体３５に吸収される。従って、処理済ガス１１の温度は、排気部３３を反応部出口Ｐ1側から水素除去装置出口Ｐ2側へ通気する過程で熱交換器３６による熱交換によって低下する。
【００３７】
冷却液流路３７は、冷却液１５が通液する流路であり、蓄熱体３５と接する状態で設置される。水素除去装置３０（水素除去モジュール６０）では、例えば、被処理ガス６または処理済みガス１１が通気する中心に対して蓄熱体３５の外側で接する状態で冷却液流路３７が設けられており、この冷却液流路３７に冷却液１５を矢印方向（図２では下方から上方）へ通液させる。
【００３８】
水素除去装置３０（水素除去モジュール６０）では、蓄熱体３５が蓄熱する温熱１７を冷却液１５が吸収（吸熱）し、冷却液１５に吸熱された温熱１７は冷却液１５とともに外部へ移送される。この結果、蓄熱体３５の温熱１７は水素除去装置３０（水素除去モジュール６０）の外部へ放熱される。
【００３９】
断熱体３８は、反応部３１および蓄熱体３５と接する状態で設置され、反応部３１および蓄熱体３５の間の熱伝達を減少させる機能を有する。
【００４０】
断熱体３８は、例えば、少なくとも１種類の材料で構成される断熱材そのもの（断熱材による１層構造）で構成されるもの、多層に形成され、反応部側の表面層と冷却液流路側の表面層との間に少なくとも１層の断熱層を持たせて構成されるもの等、様々なタイプのものを適用することができる。断熱層は、断熱効果を発揮する所定の厚みを有する限り、どのような態様でもよい。例えば、厚みを持たせた断熱材の他、表面層間を空気で満たした中空層や、表面層間を真空状態とした真空層でも良い。
【００４１】
次に、水素除去装置３０（水素除去モジュール６０）の作用および効果について説明する。
【００４２】
水素除去装置３０（図２）では、被処理ガス６が導入部３２から導入される。導入部３２から導入された被処理ガス６は、例えば、金属過酸化物等の反応材４１を反応材容器４３に収容して構成される反応部３１を通気し、通気の際、反応部３１と反応し、被処理ガス６に含まれる水素が酸化されて水素が消費（除去）される。
【００４３】
反応部３１で生じる水素の再結合反応は、発熱反応であり、当該反応に伴って発生する熱によって反応部３１は温度上昇し、処理済みガス１１も反応部３１を通気する過程で温度上昇する。処理済みガス１１は、反応部３１を出ると排気部３３を通気して水素除去装置３０の外部へ排気される。
【００４４】
処理済みガス１１が排気部３３に設置される熱交換器３６を通過する際には、処理済みガス１１の温熱１７が熱交換器３６を介して接する蓄熱体３５へ放熱される。排気部３３を通気する際の温熱１７の放熱によって、処理済みガス１１の温度は、反応部出口Ｐ1よりも水素除去装置出口Ｐ2の方がより低くなる。
【００４５】
また、蓄熱体３５へ放熱された温熱１７は、排気部３３に近い高温側から冷却液１５が通液する冷却液流路３７に近い低温側へ熱伝達される。蓄熱体３５から温熱１７を吸熱した冷却液１５は、冷却液流路３７を流れて水素除去装置３０の外部へ排出される。
【００４６】
続いて、水素除去装置３０（図２）の主要部（反応部出口Ｐ1、蓄熱体３５、および水素除去装置出口Ｐ2）における温度の時間変化について説明する。
【００４７】
図３は水素除去装置３０（図２）における温度の時間変化を説明する説明図である。より詳細に説明すれば、図３（Ａ）は反応部出口Ｐ1（図２）における処理済ガス１１の温度（以下、「反応部出口温度」と称する。）Ｔgrc2の時間変化を説明する説明図（グラフ）、図３（Ｂ）は蓄熱体３５（図２）の平均温度（以下、「蓄熱体平均温度」と称する。）Ｔhsmの時間変化を説明する説明図（グラフ）、図３（Ｃ）は水素除去装置出口Ｐ2（図２）における処理済ガス１１の温度（以下、「装置出口温度」と称する。）Ｔ2の時間変化を説明する説明図（グラフ）である。
【００４８】
なお、図３（Ａ）、図３（Ｂ）、および図３（Ｃ）に示される時間（横軸）および温度（縦軸）は、何れも相対値である。
【００４９】
水素除去装置３０（図２）において、反応部３１の出口（反応部出口）Ｐ1における反応部出口温度Ｔgrc2は、水素との反応が始まると初期温度Ｔiから温度上昇し、最も活発になる状態が継続している最大温度持続時間ｈ1の間に、最大温度Ｔmaxに達し、最大温度Ｔmaxが維持される。その後、被処理ガス中の水素量の減少等に伴い反応が沈静化し始める（最大温度持続時間ｈ1を経過する）と温度は下がっていき、やがて初期温度Ｔiに収束する。
【００５０】
蓄熱体３５における平均温度（蓄熱体平均温度）Ｔhsmは、排気部３３を通気する処理済みガス１１の温熱１７が熱交換器３６を介して接する蓄熱体３５へ放熱されるため、時間遅れｈ2を伴って蓄熱体平均温度Ｔhsmは上昇する。蓄熱体平均温度Ｔhsmは、蓄熱体３５の蓄熱作用によって滑らかに温度が変化する。また、蓄熱体平均温度Ｔhsmの最高温度は、蓄熱体３５の相対的に高い熱容量により最大温度Ｔmaxに対してより低く抑えることができる。
【００５１】
水素除去装置３０の出口（水素除去装置出口）Ｐ2における装置出口温度Ｔ2は、処理済ガス１１が排気部３３を反応部出口Ｐ1側から水素除去装置出口Ｐ2側へ通気する過程で、その温熱１７が熱交換器３６を介して奪われる（放熱される）ことによって低下する。
【００５２】
この結果、水素除去装置３０では、反応部出口温度Ｔgrc2が最高温度Ｔmaxに達し、Ｔgrc2＝Ｔmaxとなる時間が一定時間（１時間程度）継続したとしても、装置出口温度Ｔ2を反応部出口温度Ｔgrc2における最高温度Ｔmax（例えば、６００℃程度）に対して十分低い温度に設定される設計許容温度Ｔa（例えば、２００℃程度）以下に維持することができる。
【００５３】
従って、原子炉格納容器１の雰囲気から水素を除去するために水素除去装置３０を適用する一例（図１）の場合に、反応部出口Ｐ1（図２）では最高で約６００℃にも達する処理済ガス１１の温度を、水素除去装置出口Ｐ2（図２）では原子炉格納容器１へ安全に（熱損傷等を発生させずに）戻すことのできる約２００℃以下までに下げることができるので、ガス温度を約６００℃から約２００℃までに常時冷却可能な従来の冷却装置で使用されるような大量の冷却液１５を使用（通液）することなく、処理済ガス１１を原子炉格納容器１内へ安全に戻すことができる。
【００５４】
以上、水素除去装置３０（水素除去モジュール６０）によれば、水素除去処理後のガスの温度が最大温度となる状態で一定時間継続する場合においても、大流量の冷却水を必要とすることなく水素除去装置３０（水素除去モジュール６０）から排出される処理済ガス１１の温度をより低く抑えることができる。
【００５５】
また、水素除去装置３０，３０Ａ，３０Ｂは、反応部３１および蓄熱体３５と接する断熱体３８を備えることで、さらに、蓄熱体３５への熱伝達を抑制することができ、水素除去装置３０，３０Ａ，３０Ｂから排出される処理済ガス１１の温度をさらに低く抑えることができる。
【００５６】
なお、本発明は、上記実施形態そのままに限定されるものではなく、実施段階では、上述した実施例以外にも様々な形態で実施することが可能である。
【００５７】
例えば、図２に示される水素除去装置３０では、反応部３１および蓄熱体３５と接する断熱体３８が設けられているが、断熱体３８は水素除去装置３０に必ずしも設けられる必要はない。装置仕様上、排気する処理済ガス１１の出口温度の設計許容温度が比較的高く、断熱体３８がなくても設計許容温度以下となる（設計要求を満足できる）のであれば、断熱体３８を省略することもできる。
【００５８】
また、図２に示される水素除去装置３０は、水素除去モジュール６０（基本モジュール）を１個具備して構成される例であるが、複数個の水素除去モジュール６０を連結して１個の水素除去装置３０（例えば、水素除去装置３０Ａ，３０Ｂ：図４）を構成することができる。
【００５９】
ここで、図４は、本発明の実施形態に係る水素除去装置の変形例（水素除去モジュール６０を複数用いて構成する例）である水素除去装置３０Ａ，３０Ｂを示す概略図であり、図４（Ａ）は２個の水素除去モジュール６０を直列に連結した例である水素除去装置３０Ａの構成を示す概略図、図４（Ｂ）は複数の水素除去モジュール６０を並列に連結した例である水素除去装置３０Ｂを示す概略図である。
【００６０】
図４（Ａ）に例示されるように、例えば２個等の複数個の水素除去モジュール６０（基本モジュール）、すなわち、図２に例示される水素除去装置３０を直列に接続して１個の水素除去装置３０Ａを構成することができる。また、複数個の水素除去モジュール６０を直列に接続したものを１個の水素除去モジュール（複合モジュール）６０Ａとすることもできる。
【００６１】
また、例えば、図４（Ｂ）に示されるように、複数の水素除去モジュール６０（基本モジュール）、すなわち、図２に例示される水素除去装置３０を複数個、流量配分均一化装置７０を介して並列に接続して１個の水素除去装置３０Ｂを構成することができる。さらに、流量配分均一化装置７０と、この流量配分均一化装置７０を介して複数の水素除去モジュール６０を接続したものを１個の水素除去モジュール（複合モジュール）６０Ｂとすることもできる。
【００６２】
流量配分均一化装置７０は、導入路７１から導入されるガスを複数本の分配路７２へ均一な流量で分配して排気する装置である。流量配分均一化装置７０の各分配路７２には当該流路を開閉する開閉弁７３が設けられており、一部の分配路７２に水素除去モジュール６０が取り付けられない場合にも対応することができる。
【００６３】
なお、水素除去手段３４と、蓄熱体３５と、熱交換器３６と、冷却液流路３７とを備える水素除去モジュール６０を複数個連結して構成される複合モジュールの構成は、ユーザが任意に決定することができ、水素除去モジュール６０Ａ，６０Ｂとして例示した構成に限定されるものではない。例えば、図４（Ｂ）に例示される水素除去モジュール６０Ｂにおいて、分配路７２に接続される水素除去モジュール６０の代わりに図４（Ａ）に例示される水素除去モジュール６０Ａを適用したものを１個の複合モジュールとして構成することもできる。
【００６４】
また、本発明は、発明の要旨を逸脱しない範囲で、種々の省略、追加、置き換え、変更を行なうことができる。これら実施形態やその変形は、発明の範囲や要旨に含まれるとともに、特許請求の範囲に記載された発明とその均等の範囲に含まれる。
【符号の説明】
【００６５】
１…原子炉格納容器、２…供給配管、３…戻り配管、５…原子炉圧力容器、６…被処理ガス、７…静的格納容器冷却系（ＰＣＣＳ）、８…排水管、９…ドライウェル、１１…処理済ガス、１３…圧力抑制室（サプレッションチェンバ）、１５…冷却液、１７…温熱、３０（６０），３０Ａ（６０Ａ），３０Ｂ（６０Ｂ）…水素除去装置（水素除去モジュール）、３１…反応部、３２…導入部、３３…排気部、３４…水素除去手段、３５…蓄熱体（蓄熱手段）、３６…熱交換器（熱交換手段）、３７…冷却液流路、３８…断熱体（断熱手段）、４１…反応材、４３…反応材容器、６０…水素除去モジュール（基本モジュール）、６０Ａ，６０Ｂ…水素除去モジュール（複合モジュール）、７０…流量配分均一化装置（流量配分均一化手段）、７１…導入路、７２…分配路、７３…開閉弁、Ｐ1…反応部出口、Ｐ2…水素除去装置出口、Ｔgrc2…Ｐ1における温度、Ｔhsm…蓄熱体平均温度、Ｔ2…Ｐ2における温度、Ｔmax…処理済ガス最大温度、Ｔi…初期温度、Ｔa…設計許容温度、ｈ1…最大温度持続時間、ｈ2…遅れ時間。
【図１】
2015230267.tif 000003
【図２】
2015230267.tif 000004
【図３】
2015230267.tif 000005
【図４】
2015230267.tif 000006